(57)【要約】【課題】外観意匠及びメンテナンス性に優れたサッシのコーナー部水密構造を提供することを目的とする。【解決手段】上下枠及び左右の縦枠にて構成され、下枠上面を略フラット面に形成した枠内をスライド開閉する障子の下框から垂下片を垂下し、垂下片をガイドするスライド溝を下枠に設け、スライド溝の下に排水用の下枠凹部を設け、かつスライド溝側壁と垂下片との間に下気密部材を介在させ、かつ障子が閉じた状態では障子戸当框と縦枠との間に縦気密部材を介在させた屋外開口部サッシ構造とし、下気密部材を下枠に取り付けた場合には障子戸当框に縦気密部材を取り付け、逆に下気密部材を障子下框垂下片に取り付けた場合には縦枠に縦気密部材を取り付けた構造の気密・水密ラインとし、縦枠にコーナー気密部材を着脱自在に取り付けることにより下気密部材と縦気密部材との連続性を図った。着脱自在としたことにより、メンテナンス性が向上する。【選択図】  図５
2005054420.tif 000002
【特許請求の範囲】
【請求項１】
上下枠及び左右の縦枠にて構成された枠内を障子がスライド開閉する屋外開口部サッシ構造において、下気密部材を下枠に取り付けた場合には障子戸当框に縦気密部材を取り付け、逆に下気密部材を障子下框に取り付けた場合には縦枠に縦気密部材を取り付け、縦枠にコーナー気密部材を着脱自在に取り付けることにより下気密部材と縦気密部材との連続性を図ったことを特徴とするサッシのコーナー部水密構造。
【請求項２】
上下枠及び左右の縦枠にて構成され、下枠上面を略フラット面に形成した枠内をスライド開閉する障子の下框から垂下片を垂下し、垂下片をガイドするスライド溝を下枠に設け、スライド溝の下に排水用の下枠凹部を設け、かつスライド溝側壁と垂下片との間に下気密部材を介在させ、かつ障子が閉じた状態では障子戸当框と縦枠との間に縦気密部材を介在させた屋外開口部サッシ構造とし、下気密部材を下枠に取り付けた場合には障子戸当框に縦気密部材を取り付け、逆に下気密部材を障子下框垂下片に取り付けた場合には縦枠に縦気密部材を取り付け、縦枠にコーナー気密部材を着脱自在に取り付けることにより下気密部材と縦気密部材との連続性を図ったことを特徴とする下枠フラットサッシのコーナー部水密構造。
【請求項３】
コーナー気密部材は本体部と固定部からなり、縦枠から障子側へ帯状に突出させた当り片に取付用の貫通孔を設けて、該貫通孔に本体部又は固定部より突出させた挿入部を挿し込み、この当り片を挟み込むように挿入部に当該相手部材を嵌合したことを特徴とする請求項１又は請求項２記載のサッシのコーナー部水密構造。
【発明の詳細な説明】
【技術分野】
【０００１】
本発明は、屋外開口部に取り付けられる屋外サッシのコーナー部水密構造に関する。
特に、障子の下框から垂下片を垂下させ、下枠上面を略フラットに形成し、その下枠上面に細い条状のスライド溝を形成するとともに、このスライド溝に上記垂下片を嵌入させたバリアフリーサッシのコーナー部に適用すると効果的である。
【背景技術】
【０００２】
下枠上面を略フラットに形成し、その下枠上面に細い条状のスライド溝を形成し、障子の下框から垂下片を垂下させ、このスライド溝に障子下框垂下片を嵌入させたバリアフリーサッシにおいては、図１２にスライド溝付近の拡大イメージ図を示すように例えば、垂下片１６１の室内側に下気密部材１１４を設けてスライド溝１１３の室内側の側壁に下気密部材１１４を摺接させることで障子１６０と下枠１１０の間をシールして、スライド溝１１３から室内側への浸水等を防止することができる。
この気密部材は障子の下框垂下片から戸当框に亘って、又は下枠から縦枠に亘って、下気密部材と縦気密部材を連続して設けることが望ましい。
しかし、戸当框側の縦気密ラインとスライド溝幅等の関係で下気密部材と縦気密部材とのつなぎ部に段差が生じる場合がある。
そこで、縦気密部材と下気密部材間の連続性を確保する必要が生じるため、スポンジ等を縦気密部材と下気密部材の間へ貼り付けることが考えられるが、スポンジの貼り付けは外観意匠性が低く、耐久性や取り替え時等のメンテナンス性に問題があった。
特開平９−２２８７５６号公報、特開平１１−９３５４０号公報には、開き戸において縦枠と下枠のコーナー部に気密部材を設けて止水を行う技術が開示されているが、この技術は開き戸における技術であり障子をスライドさせる構造ではない。
また、気密部材はドアボトムと下枠間に設ける構造であり障子スライド溝内に気密部材を設ける構造とは異なる。
特開平１１−２００７３１号公報には、障子の四隅に気密部材取付用のコーナージョイントを設け、気密部材の装着を容易にする技術が開示されているが、縦気密部材と横気密部材を同じ面上に設けている技術であり、縦気密部材と横気密部材を枠と障子に別々に取り付けた構造の技術とは異なる。
【０００３】
【特許文献１】特開平９−２２８７５６号公報
【特許文献２】特開平１１−９３５４０号公報
【特許文献３】特開平１１−２００７３１号公報
【発明の開示】
【発明が解決しようとする課題】
【０００４】
本発明は上記技術的課題に鑑みて、引違い障子もしくは片引き障子において、縦気密部材と下気密部材を障子と枠にそれぞれ分けて設けた場合に、縦気密部材と下気密部材の気密・水密ラインを連続させることで良好な気密・水密性を得ながら、外観意匠及びメンテナンス性に優れたサッシのコーナー部水密構造の提供を目的とする。
【課題を解決するための手段】
【０００５】
請求項１記載の発明の技術的要旨は、上下枠及び左右の縦枠にて構成された枠内を障子がスライド開閉する屋外開口部サッシ構造において、下気密部材を下枠に取り付けた場合には障子戸当框に縦気密部材を取り付け、逆に下気密部材を障子下框に取り付けた場合には縦枠に縦気密部材を取り付け、縦枠にコーナー気密部材を着脱自在に取り付けることにより下気密部材と縦気密部材との連続性を図った点である。
【０００６】
コーナー気密部材を縦枠に設けることで、縦気密部材と下気密部材が障子と枠に別々に設けられている構造の場合においても、縦気密部材と下気密部材の段差部を解消し、気密・水密ラインを連続させることができる。
そして、このコーナー気密部材はツメ構造などの嵌め合いを利用して着脱自在に縦枠に装着することで容易に交換可能となり、消耗時や破損時は速やかに交換することができる。
【０００７】
請求項２記載の発明の技術的要旨は、バリアフリーサッシに適用したものであり、上下枠及び左右の縦枠にて構成され、下枠上面を略フラット面に形成した枠内をスライド開閉する障子の下框から垂下片を垂下し、垂下片をガイドするスライド溝を下枠に設け、スライド溝の下に排水用の下枠凹部を設け、かつスライド溝側壁と垂下片との間に下気密部材を介在させ、かつ障子が閉じた状態では障子戸当框と縦枠との間に縦気密部材を介在させた屋外開口部サッシ構造とし、下気密部材を下枠に取り付けた場合には障子戸当框に縦気密部材を取り付け、逆に下気密部材を障子下框垂下片に取り付けた場合には縦枠に縦気密部材を取り付け、縦枠にコーナー気密部材を着脱自在に取り付けることにより下気密部材と縦気密部材との連続性を図った。
【０００８】
請求項３記載の発明の技術的要旨は、コーナー気密部材は本体部と固定部からなり、縦枠から障子側へ帯状に突出させた当り片に取付用の貫通孔を設けて、該貫通孔に本体部又は固定部より突出させた挿入部を挿し込み、この当り片を挟み込むように挿入部に本体部又は固定部の相手部材を嵌合した点である。
【０００９】
縦枠に障子側へ帯状に突出した当り片を設け、この当り片と障子戸当框間に障子を閉じた状態で縦気密部材を介在させることで縦気密ラインを形成する。
そして、障子下框垂下片とスライド溝側壁間に下気密部材を介在させることで下気密ラインを形成する。
この縦気密ラインと下気密ラインのつなぎ部に生じた段差部にコーナー気密部材を取り付けたことにより、サッシコーナー部の気密・水密ラインが連続的になる。
コーナー気密部材の当り片への装着は、当り片に取付用貫通孔を設けて、コーナー気密部材の本体部又は固定部の少なくとも一方より突出させた挿入部をこの貫通孔に挿入し、反対側から相手部材を挿入部に嵌合させることで行う。
これによりコーナー気密部材は縦枠に、特殊工具を使用しないでも着脱自在で装着出来る。
【発明の効果】
【００１０】
本発明に係る下枠フラットサッシの障子水密構造においては、下気密部材を下枠に取り付けた場合に障子戸当框に縦気密部材を取り付けたり、その逆に下気密部材を障子下框垂下片に取り付けた場合には縦枠に縦気密部材を取り付けた場合に、枠と障子間で段差のある下気密部材と縦気密部材との気密・水密ラインを、コーナー気密部材を縦枠に装着することで連続させることができる。
【００１１】
コーナー気密部材を本体部と固定部に分割したことにより、縦枠の当り片に設けた貫通孔に容易に着脱できるので取り替え等のメンテナンス性に優れる。
このように交換が容易であることから、コーナー気密部材の形状や材質変更による性能変更も簡単に出来る。
【発明を実施するための最良の形態】
【００１２】
本発明に係る障子水密構造を適用したサッシの縦断面図を図１に、横断面図を図２に示す。
建築物の躯体開口部に下枠１０、上枠２０及び室内から室外側に向かって右縦枠３０、左縦枠４０にて略方形の枠体を形成し、その開口部に室外側から順に、網戸７０、外障子５０、内障子６０がスライド開閉可能に取り付けられている。
なお、網戸は必要に応じて取り付けられるものである。
下枠１０の下枠ベース部は、室外側下枠ベース部材１１と室内側下枠ベース部材１２を断熱部材１６ａにて連結して形成されている。
図２に示した引違い障子の場合には外障子と内障子の２枚戸であるが、本発明は４枚戸等の引違い障子や片引き障子等にも適用される。
【００１３】
下枠部分の拡大断面図を図３に示す。
外障子下框５１の室外側よりから外障子下框垂下片５１ａが垂下されている。
また、外障子下框凹部５１ｂには外障子戸車５４が取り付けられ、下枠１０の外障子用擬似レール１９ａ上を外障子が移動する。
内障子下框６１の室外側よりから内障子下框垂下片６１ａが垂下され、下框の内障子下框凹部６１ｂには内障子戸車６４が取り付けられ、下枠１０の内障子用擬似レール１９ｂ上を内障子が移動する。
下枠１０には外障子及び内障子の下框から垂下した外障子下框垂下片５１ａ、内障子下框垂下片６１ａがスライドする外障子スライド溝１３ａ、内障子スライド溝１３ｂを設け、外障子スライド溝１３ａの室内側側壁に外障子用下気密部材ホルダ１３ｃを設け、内障子スライド溝１３ｂの室内側側壁に内障子用下気密部材ホルダ１３ｄを設け、外障子用下気密部材１４ａ、内障子用下気密部材１４ｂを配設し、これらの下気密部材は障子の垂下片に摺接している。
外障子用スライド溝１３ａの下部には、排水用の外障子用下枠凹部１５ａが、内障子用スライド溝１３ｂの下部には排水用の内障子用下枠凹部１５ｂが設けられている。
【００１４】
次に図２における戸当框６２と縦枠３０間部分の横断面拡大図を図４（イ）に、戸当框５２と縦枠４０間部分の横断面拡大図を図４（ロ）に示す。
図４（イ）において戸当框６２には、その室外側よりから縦枠３０方向に板状に延出して室内側に縦気密部材６２ａを設けた縦気密部材ホルダ６２ｂが設けられている。
縦枠３０からは戸当框６２方向に向けて帯状に当り片３１が突出し、内障子を閉じた状態で縦気密部材６２ａを摺接させている。
この当り片３１と、縦枠３０の戸当框６２と対向する内方向の面である障子対向面３０ａと縦気密部材６２ａの間にはコーナー気密部材３５が設けられている。
また、図４（ロ）において戸当框５２には、その室外側よりから板状に延出して縦枠４０側の室内側面に縦気密部材５２ａを設けた縦気密部材ホルダ５２ｂが設けられている。
縦枠４０からは戸当框５２方向に向けて帯状に当り片４１が突出し外障子を閉じた状態で縦気密部材５２ａを摺接させている。
この当り片４１と縦枠４０の障子対向面４０ａと縦気密部材５２ａの間にはコーナー気密部材４５が設けられている。
【００１５】
以下、右側コーナー部を例に説明する。
図５に内障子を開放した状態におけるコーナー気密部材の当り片への取付状態の斜視図を示す。
当り片３１と縦枠３０の障子対向面３０ａと下枠上面１０ａで形成される隅部３３にコーナー気密部材３５が装着されている。
コーナー気密部材３５は図６に分解図を示すように、本体部３６と固定部３７からなり、本体部３６より突出した挿入部３８を当り片の取付用貫通孔３１ｂへ挿し込み、当り片の反対側からこの当り片を挟み込むように固定部を挿入部３８へツメ構造などで嵌合させることで装着し、隅部３３へ取り付ける。
ここで、本体部の当り片への当接部及び固定部取付面３７ａはシール性の高い材質、例えば、軟質樹脂やゴム性材質等で成形されていて取付用貫通孔からの漏水を防止している
なお、この例では挿入部を本体部側に設けたが固定部側に設けてもよい。
【００１６】
図５に示すように、コーナー気密部材本体部３６の下部にはヒレ状の傾斜片３６ｄが設けられている。
この傾斜片３６ｄは、取付状態の側面図を図７に示すようにスライド溝１３ｂの室内側側壁の突出している上端１３ｅ部分から下気密部材１４ｂ上面にかけて設けられ、この部分の気密・水密ラインを形成している。
そして、下枠上面１０ａとコーナー気密部材本体部３６の底面３６ｅで形成する気密・水密ラインと合わせて、下気密部材１４ｂから下枠上面１０ａにかけての気密・水密ラインを形成している。
コーナー気密部材３５には、シール性の高い縦方向のヒレ３６ｂと横方向のヒレ３６ｃが設けられている。
なお、本体部３６の上端には図５に示すようにヒレ部３６ａが形成され、上部から流れてくる雨水が当たり片３１の貫通孔に流れ込まないようにシールされている。
【００１７】
コーナー気密部材の障子を閉じた状態の縦気密部材、縦気密部材ホルダ、垂下片及び下気密部材との位置関係を図８の斜視図、及び図９の室外側から見た側面図に示す。
コーナー気密部材は当接部３５ａにより縦気密部材６２ａの下端６２ｃ部分から垂下片６１ａの縦枠側端部６１ｃと縦枠３０及び下枠上面１０ａとの間に気密・水密ラインを形成し、そして連続して下枠上面１０ａと垂下片６１ａ間における下気密部材１４ｂ上面までの気密・水密ラインを形成する。
このとき、縦気密部材６２ａ及び縦気密部材ホルダ６２ｂ、そして垂下片６１ａの縦枠側端部６１ｃは、図５に示す当接部３５ａに当接しているが、この当接部３５ａには段差を設けてホルダ当接部３５ｂと縦気密部材当接部３５ｃが設けられ、ホルダ当接部３５ｂには縦気密部材ホルダ６２ｂと垂下片の縦枠側端部６１ｃが当接し、縦気密部材当接部３５ｃには縦気密部材６２ａが当接する。
このように当接部３５ａに段差が設けられることで、当接部３５ａと縦気密部材６２ａ及び縦気密部材ホルダ６２ｂ、垂下片縦枠側端部６１ｃはより密着する。
【００１８】
下框垂下片に下気密部材を、縦枠に縦気密部材を設けた場合のコーナー気密部材の取付状態例を図１０に示す。
縦枠３０から突出した当り片３１には縦気密部材ホルダ３０ｃが設けられ縦気密部材３０ｂを取り付けている。
そして内障子戸当框の室外側よりから縦枠３０方向に延出している延出片６２ｄの室内側側面に縦気密部材３０ｂが摺接している。
コーナー気密部材４６は当り片３１に装着されている。
内障子垂下片６１ａには下気密部材ホルダ１４ｄが室内側に設けられ、下気密部材１４ｃを装着して、この下気密部材１４ｃを内障子スライド溝１３ｂの室内側側壁に摺接させている。
コーナー気密部材４６は、当接部４６ａを縦気密部材ホルダ３０ｃ、縦気密部材３０ｂの縦枠３０側側面に当接させて、縦気密部材３０ｂと縦枠３０間の気密・水密ラインを形成している。
そして、コーナー気密部材４６は当接部４６ａを下気密材１４ｃの端部１４ｅに当接させて、この部分の水密・気密ラインを形成している。
【００１９】
外障子スライド溝及び内障子スライド溝からの排水経路について図１１に示す下枠の拡大断面図により説明する。
外障子スライド溝１３ａ内に流れ込んだ水は、下枠凹部１５ａに貯留され下枠凹部１５ａの室外側側壁に設けられている排水穴１０３を通り室外側下枠ベース部材１１に設けられている排水穴１０２を経由して排水される。
内障子スライド溝１３ｂ内に流れ込んだ水は、下枠凹部１５ｂに貯留される。
ここで下枠上面１０ａを形成している目板材７５と室外側下枠ベース部材１１の間に設けられている断熱部材１６ｂはスライド溝方向に断続的に設けられているので、下枠凹部１５ｂに貯留された水は断熱部材１６ｂの隙間を通り、排水穴１０１を経て、排水穴１００により排水される。
このように障子と枠の間の気密・水密構造は、気密部材と排水構造を合わせて形成されているため高い気密・水密性が得られる。
【図面の簡単な説明】
【００２０】
【図１】本発明に係るサッシ構造の縦断面図を示す。
【図２】本発明に係るサッシ構造の横断面図を示す。
【図３】下枠付近の拡大断面図を示す。
【図４】（イ）は内障子戸当框と縦枠間部分の横断面拡大図を示し、（ロ）は外障子戸当框と縦枠間部分の横断面拡大図を示す。
【図５】コーナー気密部材取付状態の斜視図を示す。
【図６】当り片とコーナー気密部材の分解図を示す。
【図７】コーナー気密部材取付状態の見付け方向側面図を示す。
【図８】障子を閉じた状態のコーナー気密部材付近の斜視図を示す。
【図９】障子を閉じた状態のコーナー気密部材付近の外観図を示す。
【図１０】縦枠に縦気密部材を、垂下片に下気密部材を取り付けた場合のコーナー気密部材取付状態の斜視図を示す。
【図１１】スライド溝からの排水経路を表した下枠の拡大断面図を示す。
【図１２】従来の障子水密構造のスライド溝付近の拡大断面図を示す。
【符号の説明】
【００２１】
１０    下枠
１０ａ  下枠上面
１１    室外側下枠ベース部材
１２    室内側下枠ベース部材
１３ａ  外障子スライド溝
１３ｂ  内障子スライド溝
１３ｃ  外障子用下気密部材ホルダ
１３ｄ  内障子用下気密部材ホルダ
１３ｅ  内障子スライド溝室内側側壁上端
１４ａ  外障子用下気密部材
１４ｂ、１４ｃ  内障子用下気密部材
１４ｄ  内障子下框垂下片下気密部材ホルダ
１４ｅ  下気密部材縦枠側端部
１５ａ  外障子用下枠凹部
１５ｂ  内障子用下枠凹部
１６ａ、１６ｂ  断熱部材
１９ａ  外障子用擬似レール
１９ｂ  内障子用擬似レール
２０    上枠
３０    右縦枠
３０ａ  右縦枠障子対向面
３０ｂ  縦気密部材
３０ｃ  縦気密部材ホルダ
３１    右縦枠当り片
３１ｂ  取付用貫通孔
３３    右縦枠隅部
３５    右縦枠コーナー気密部材
３５ａ  コーナー気密部材当接部
３５ｂ  ホルダ当接部
３５ｃ  縦気密部材当接部
３６    コーナー気密部材本体部
３６ａ  弾性片
３６ｂ  縦方向ヒレ
３６ｃ  横方向ヒレ
３６ｄ  傾斜片
３６ｅ  コーナー気密部材本体部底面
３７    コーナー気密部材固定部
３７ａ  固定部取付面
３８    挿入部
４０    左縦枠
４０ａ  左縦枠障子対向面
４１    左縦枠当り片
４５    左縦枠コーナー気密部材
４６    コーナー気密部材
４６ａ  コーナー気密部材当接部
５０    外障子
５１    外障子下框
５１ａ  外障子下框垂下片
５１ｂ  外障子下框凹部
５２    外障子戸当框
５２ａ  外障子縦気密部材
５２ｂ  外障子縦気密部材ホルダ
５４    外障子戸車
６０    内障子
６１    内障子下框
６１ａ  内障子下框垂下片
６１ｂ  内障子下框凹部
６２    内障子戸当框
６２ａ  内障子縦気密部材
６２ｂ  内障子縦気密部材ホルダ
６２ｃ  内障子縦気密部材下端
６４    内障子戸車
７０    網戸
７５    目板材
１００、１０１、１０２、１０３  排水穴
【図１】
2005054420.tif 000003
【図２】
2005054420.tif 000004
【図３】
2005054420.tif 000005
【図４】
2005054420.tif 000006
【図５】
2005054420.tif 000007
【図６】
2005054420.tif 000008
【図７】
2005054420.tif 000009
【図８】
2005054420.tif 000010
【図９】
2005054420.tif 000011
【図１０】
2005054420.tif 000012
【図１１】
2005054420.tif 000013
【図１２】
2005054420.tif 000014